(57)【要約】  本発明は、内燃機関の始動動作中に燃料噴射量を調節する手段を接続する内燃機関始動方法に関するものであり、前記手段は、前回の始動動作時に測定されたエンジン速度の勾配と所定の燃料に対応する基準勾配（１１０）との比較に基づく燃料の揮発度（ＰＶＲ）の推定に基づいて燃料噴射量を調節するもので、エンジン摩擦トルクの変化（ΔＣＭＦ）に基づいて基準勾配を補正するステップ（１１１）を特徴とする。
2010533256.tif 000002
【特許請求の範囲】
【請求項１】
エンジンの始動動作中に燃料噴射量を調節する手段が接続された内燃機関の始動方法であって、前記手段は、燃料の推定揮発度（ＲＶＰ）の関数として、前回の始動動作中に測定されたエンジン速度勾配と所定の燃料に対応する基準勾配（１１０）との比較に基づいて燃料噴射量を調節するもので、エンジン摩擦トルクの変化（ΔＣＭＦ）の関数として基準勾配を補正する補正段階（１１１）を特徴とする、方法。
【請求項２】
車両がエンジン制御手段を備え、エンジン制御手段からの要求に応じて摩擦トルクの変化（ΔＣＭＦ）が測定されることを特徴とする、請求項１に記載の方法。
【請求項３】
始動動作中に発生した最初の燃焼からの速度勾配（１１０）を求めることを特徴とする、請求項１又は２に記載の方法。
【請求項４】
速度勾配の補正（１１１）が、摩擦トルクの変化とエンジン慣性との比に比例することを特徴とする、請求項１ないし３のいずれか一項に記載の方法。
【請求項５】
速度勾配（１１０）が、２つの連続する燃焼の間のエンジン速度差として求められ、速度勾配の補正（１１１）が、２つの連続する燃焼の間の時間（ＴＰＭＨ）に比例することを特徴とする、請求項１ないし４のいずれか一項に記載の方法。
【請求項６】
基準勾配が、エンジン温度（Ｔｗａｔｅｒ）と、最初の燃焼（１００，１０５，１０６）以来の燃焼回数（Ｎｂ＿ＰＭＨ）との関数であることを特徴とする、請求項１ないし５のいずれか一項に記載の方法。
【請求項７】
燃料の気化能力の別個の値についての複数の基準勾配（１１０）を規定し、基準値に対する測定勾配値の関数として、噴射される燃料の量を直線的に規定することを特徴とする、請求項１ないし６のいずれか一項に記載の方法。
【請求項８】
燃料の気化能力の別個の値についての複数の基準勾配（１１０）を規定し、基準値に対する測定勾配値の関数として、噴射される燃料の量を離散的に規定することを特徴とする、請求項１ないし６のいずれか一項に記載の方法。
【請求項９】
始動動作中に、１又は複数の以前の第１始動動作中に測定された勾配を考慮に入れることを特徴とする、請求項１ないし８のいずれか一項に記載の方法。
【請求項１０】
火花点火式内燃機関において実行される、請求項１ないし９のいずれか一項に記載の方法。
【請求項１１】
ＦＬＥＸＦＵＥＬ対応火花点火式内燃機関において実行される、請求項１０に記載の方法。
【発明の詳細な説明】
【技術分野】
【０００１】
関連出願の相互参照
本発明は、２００７年９月７日出願の仏国特許出願第０７５６３３３号の優先権を主張するものであり、その出願内容（明細書、請求の範囲、及び図面）を、参照により本明細書に組み込む。
本発明は、自動車の内燃機関の始動方法に関する。この方法は特に、冷間始動動作に有用である。概して、本発明の目的は、発生源において、ガソリンエンジンの汚染物質排出量を低減することである。
【背景技術】
【０００２】
車両に使用される燃料の品質は、特に車両が走行する地域によって大きく変わる。特に変化の大きい燃料の物理特性は、当該燃料の気化能力、すなわち揮発度の変化である。この特性は、アングロサクソン系文献においては、ＲＶＰ（リード蒸気圧）という略称の下によく知られている。この略称は、本発明に関する以下の説明で使用する。容易に気化する燃料はＨＲＶＰ（Ｈｉｇｈ  ＲＶＰ）と呼ばれ、容易に気化しない燃料はＬＲＶＰ（Ｌｏｗ  ＲＶＰ）と呼ばれる。
正しく始動させるために、ガソリンエンジンは、空気とガソリンとの混合気が化学量論的混合気に近いことを必要とする。これは、ガス状の燃料の量が正しく制御されることを前提としている。燃料の揮発度に応じて、冷間始動においてクランクでエンジンをかけるとき、同じ燃料噴射量でも燃焼に参画するガス状の燃料の量は極めて大きく変動し得る。
【０００３】
エンジンの始動及びクランキング中に、適切な燃焼に十分な量のガス状燃料を確保するために、比較的揮発度の低い燃料（ＬＲＶＰ）を代表する燃料に対して較正を行なう。次に、テストを行なって、更に揮発度の高い燃料、すなわちタイプＨＲＶＰを使用する場合に、噴射量が過剰になることと、混合気が可燃性ではなくなることにより霧状の過剰なガソリンが燃焼を妨害する危険とを確実に回避する。
したがって、燃料に関係なく調節は同じである。その結果、比較的揮発度の高い燃料を使用する場合、エンジンの始動中及びクランキング中の霧状の燃料の量は過剰である。この過剰な燃料は燃焼に参画せず、エンジンの排気中に未燃焼炭化水素（ＨＣ）として検出される。これは、車両に触媒を搭載している場合でも触媒は冷間時に作動せず、未燃焼炭化水素が大気中に漏れ出してしまうので、エンジンの汚染物質排出量に直接影響を与える。
【０００４】
大気温度が−１５℃を下回る極冷間時における始動中に、霧状の過剰燃料は排気行程で真っ黒な煤も生成する。
燃料の気化能力に応じて始動段階でエンジンシリンダ内に噴射される燃料の量を調節することにより、この問題を解決する試みが為されてきた。この能力を車両内で直接測定することは困難であるので、燃料の気化能力は、エンジンシリンダ内で最初の燃焼が行なわれた後に生じるエンジンの速度勾配の関数として推定された。この勾配は、異なる気化能力を持つ異なる種類の燃料に応じて較正することができる。
【０００５】
この方法によって、燃料の気化能力の推定後に行われる始動動作中にエンジンに噴射される燃料量の調節が向上する。しかしながら、行なわれる測定に影響する他のパラメータを考慮に入れると、得られた結果の信頼性はそれほど高くない。
【発明の概要】
【０００６】
本発明の目標は、エンジンの内部摩擦トルクの変化の関数として基準勾配の較正量を変化させることを提案することにより、始動性能の堅牢性、特に冷間始動の性能の堅牢性を高めることである。
この目的を達成するために、本発明の目標は、エンジン始動動作中に燃料噴射量を調節する手段に接続する内燃機関を始動する方法であり、前記手段は、前回の始動動作中に測定されたエンジン速度勾配と所定の燃料に対応する基準勾配との比較に基づく燃料の推定揮発度の関数として燃料噴射量を調節するもので、本方法は、エンジン摩擦トルクの変化の関数として基準勾配を補正する補正段階を特徴とする。
【０００７】
有利には、エンジンには、エンジンの動作を監視し、摩擦トルクの変化を使用する制御手段が取り付けられている。このようにして、この情報がエンジン制御段階で既に利用可能であるので、本発明は、補足センサを車両内に追加して摩擦トルクの変化を測定する必要なく実行することができる。
従来、始動動作中に起こる最初の燃焼を開始時点とする速度勾配を求めることができる。
【０００８】
有利には、速度勾配の補正は、摩擦トルクの変化とエンジンの慣性との比に比例する。
速度勾配は、２つの連続する燃焼の間のエンジン速度の差として求めることができ、速度勾配の補正は、２つの連続する燃焼の間の時間に比例する。
【０００９】
有利には、基準勾配は、エンジン温度及び最初の燃焼以降に行なわれた燃焼の回数の関数である。
燃料の気化能力の別個の値についての複数の基準勾配を規定することができる。噴射される燃料の量は、基準値に対する測定勾配値の関数として直線的又は離散的に規定することができる。
【００１０】
始動動作中に、以前の１回以上の第１始動動作中に測定された勾配を考慮に入れることができる。例えば、数回の始動の平均を採ることができるか、又は異常な勾配測定値を除外することができる。
本発明は、具体的にはいわゆる火花点火「ガソリン」エンジンに適用することができ、具体的には、異なる種類の燃料が供給されるエンジン、特に「ガソリン」又はアルコール系燃料（ガソリンのみ、又はガソリンとの混合物）対応のエンジン、特にＦＬＥＸＦＵＥＬ（フレックス燃料）対応のエンジンに適用することができる。
【００１１】
例示を目的とし、かつ添付図面に示される一実施モードについての詳細な説明により、本発明に対する理解を深めることができ、かつ他の利点が明らかになる。
【図面の簡単な説明】
【００１２】
【図１】図１は、始動動作中のエンジン速度の一実施例を示している。
【図２】図２は、基準変化に対する測定エンジン速度の変化の一実施例を示している。
【図３】図３は、エンジンの内部摩擦トルクの変化の関数として基準速度変化に行なわれる補正を模式的に示している。
【００１３】
図を分かり易くするために、複数の図面に亘って、同じ構成要素には同じ参照記号が付されている。
【発明を実施するための形態】
【００１４】
図１は、始動動作中のエンジン速度変化の一実施例を時系列で示している。横軸の目盛は秒単位で、ＰＭＨ（上死点）を示している。この秒単位の目盛は、燃焼が起こり易い時点に対応する。これらの時点は、垂直矢印及び連続破線で示される。縦軸には、エンジンの回転速度が回転／分で表示されている。
時間軸上の時間原点０において、エンジンの始動動作が始まる。４回目の上死点まで、車両スタータは、３００〜４００回転／分の速度でエンジンをクランキングする。４回目の上死点では、エンジンシリンダ内で最初の燃焼１００が生じる。この最初の燃焼を、５つの頂点を有する星印で図１に示す。４回目の上死点を過ぎると、エンジン速度は約１４００回転／分に達するまで上昇し、次いで２０回目の上死点の後で、約１０００回転／分に安定するまで下降する。実際、エンジン速度は、上死点に達するたびに測定され、各上死点のエンジン速度値を結ぶ階段状曲線１０１により表示される。別の平滑曲線１０２は、異なる上死点で測定されたエンジン速度値を直接結んでいる。
【００１５】
図２は、図１と同じ参照記号で、曲線１０２と同様のいわゆる基準変化１０３を示している。曲線１０３は、エンジンの理想的な変化である。始動動作が変化１０３の通りに行なわれる場合、エンジンから排出される汚染物質の量は可能な最小量となる。したがって、始動動作中にエンジンシリンダ内に噴射される燃料の量を制御して、指導動作を変化１０３に出来る限り近付ける必要がある。
図２のもう一つの曲線１０４は、始動動作の実測曲線を表わす。変化１０４の最初の燃焼１０５は、変化１０３の最初の燃焼１０６後に起こる。変化１０４が到達する最大速度１０７は、約１１００回転／分である。速度１０７は、変化１０３が到達する最大速度１０８よりも小さい。更に、速度が上昇している間は、最初の燃焼の後の、変化１０４の勾配、又は変化１０４の傾斜は、変化１０３の勾配よりも小さい。
【００１６】
この勾配は、使用する燃料のＲＶＰ（リード蒸気圧）の関数であることが知られている。更に、この勾配がエンジンの摩擦トルクにも依存することが観測されている。エンジンの摩擦トルクとは、速度を発生させることなくエンジンの回転を妨げるあらゆる抵抗要素であると解釈される。摩擦トルクは、特にエンジンの内部において、車両のクラッチに至るまでの動力伝達チェーンにより発生する。これらの抵抗要素は、トルクで表わされ、エンジン速度などの異なるパラメータの関数である。
エンジン速度は、測定によって容易に求めることができ、基準変化１０３において考慮される。エンジンの初期摩擦トルク、すなわち新品のエンジンに既存の摩擦も基準変化１０３において考慮されている。一方、摩擦トルクは、エンジンの寿命の間に変化する可能性がある。例えば、摩擦トルクは、エンジン摩耗によって、かつエンジンに使用される潤滑油の交換時に、変化する。
【００１７】
その結果、同じ燃料（同じＲＶＰ）について、燃料噴射量を同じに維持しながら、エンジン速度の異なる変化を始動動作中に測定することができる。一定の基準変化を維持することにより、摩擦トルクが変化するときに燃料噴射量が変化する危険が生じる。これは、エンジンを化学量論的比率から外れた比率で動作させ、汚染を生じさせる。
本発明によれば、エンジンの動作を向上させるために、エンジン摩擦トルクの変化の関数として基準変化を補正する。
【００１８】
更に、最新の車両にはエンジン制御手段が搭載される。これらの手段は、例えば、車両の加速ペダルが車両の運転者によって踏み込まれたときに送出される指令の関数として、クランクシャフトで得られるＣＭＥトルクに対するトルクフィードバック構造を用いている。このＣＭＥトルクに、エンジン及び動力伝達チェーンの摩擦トルクＣＭＦを加算して、エンジンの内部燃焼により供給する必要があるＣＭＩトルクを実現しなければならない。
エンジン制御手段は、エンジンの寿命に亘って、摩擦トルクの変化ΔＣＭＦを測定する。本発明によれば、摩擦トルクの変化ΔＣＭＦに関する情報を使用して基準勾配を補正する。
【００１９】
一般に、トルクは慣性と速度勾配との積に等しい。車輪を駆動していないアイドリング状態のエンジンに適用すると、以下の方程式が得られる。
2010533256.tif 000003
又は：
2010533256.tif 000004
上の方程式では、Ｊｍｏｔはエンジンの慣性を表わし、ωｍｏｔはエンジンの回転速度を表わし、ｔは時間を表わす。
摩擦トルクの変化ΔＣＭＦを導入すると、方程式（２）は次のようになる。
2010533256.tif 000005
上の方程式では、
2010533256.tif 000006
はエンジンの回転速度の基準勾配を表わし、
2010533256.tif 000007
は、エンジンの回転速度の補正済み基準勾配を表わしている。
【００２０】
方程式（３）は、エンジンパラメータを測定するために容易に次の方程式に変換することができる。
2010533256.tif 000008
方程式（４）では、エンジンの回転速度Ｎｉは、燃焼が起こり易い時点ｉにおける回転／分で表わされる。秒で表わされるＴＰＭＨは、前述の２つの時点の間の時間間隔を表わす。係数
2010533256.tif 000009
は、ラジアン／秒を回転／分に変換することにより、確実に方程式を均質化する。
【００２１】
図３は、方程式（４）を模式的に表わしている。ボックス１１０は、基準勾配（Ｎｎ−Ｎｎ−１）ｒｅｆを規定するテーブルを表わしている。基準勾配の値は、エンジン温度、例えばボックス１１０の入力Ｔｗａｔｅｒと呼ばれる冷却液の温度と、最初の燃焼からのＮｂ＿ＰＭＨと呼ばれるＰＭＨ（上死点）の回数との関数である。
エンジン摩擦トルクの変化の補正関数
2010533256.tif 000010
は、ボックス１１１で表わされる。補正済み速度勾配を取得するための基準勾配に対する補正の適用はボックス１１２で表わされる。
【００２２】
次に、測定された勾配を補正済み速度勾配と比較する。この比較の結果は、エンジンが使用する燃料のＲＶＰの関数である。したがって、次の始動中に噴射される燃料の量は、測定された勾配が補正済み勾配に出来る限り近づくように変更することができる。
【図１】
2010533256.tif 000011
【図２】
2010533256.tif 000012
【図３】
2010533256.tif 000013
【国際調査報告】
2010533256.tif 000014
2010533256.tif 000015
2010533256.tif 000016
2010533256.tif 000017